【手続補正書】
【提出日】平成29年3月27日(2017.3.27)
【手続補正１】
【補正対象書類名】特許請求の範囲
【補正対象項目名】全文
【補正方法】変更
【補正の内容】
【特許請求の範囲】
【請求項１】
符号化されたビデオを復号する装置であって、
レイヤ間参照ピクチャセットを復号する復号部を備え、
上記復号部は、現ピクチャのビット深度、および参照レイヤ・ピクチャのビット深度を用いて、上記レイヤ間参照ピクチャセットに含まれる、リサンプリングされビット深度スケーリングされたレイヤ間参照ピクチャを導出することを特徴とする装置。
【請求項２】
リサンプリングされビット深度スケーリングされた上記レイヤ間参照ピクチャは、上記レイヤ間参照ピクチャセットのビット深度スケーリングにより導出されることを特徴とする請求項１に記載の装置。
【請求項３】
上記復号部は、現ピクチャと参照ピクチャとの間のビット深度の差分を用いることによって、リサンプリングされビット深度スケーリングされた上記レイヤ間参照ピクチャを導出することを特徴とする請求項１に記載の装置。
【請求項４】
符号化されたビデオを復号する方法であって、
レイヤ間参照ピクチャセットを復号するステップと、
現ピクチャのビット深度、および参照レイヤ・ピクチャのビット深度を用いて、上記レイヤ間参照ピクチャセットに含まれる、リサンプリングされビット深度スケーリングされたレイヤ間参照ピクチャを導出するステップと、を含む方法。
【請求項５】
リサンプリングされビット深度スケーリングされた上記レイヤ間参照ピクチャは、上記レイヤ間参照ピクチャセットのビット深度スケーリングにより導出されることを特徴とする請求項４に記載の方法。
【請求項６】
現ピクチャと参照ピクチャとの間のビット深度の差分を用いることによって、リサンプリングされビット深度スケーリングされた上記レイヤ間参照ピクチャを導出するステップをさらに含むことを特徴とする請求項４に記載の方法。
【手続補正２】
【補正対象書類名】明細書
【補正対象項目名】発明の名称
【補正方法】変更
【補正の内容】
【発明の名称】符号化されたビデオを復号する装置、および方法
【手続補正３】
【補正対象書類名】明細書
【補正対象項目名】００４５
【補正方法】変更
【補正の内容】
【００４５】
図４は、図３Ａに示される色空間予測器４００のブロック図の例である。図４を参照すると、色空間予測器４００は、再構成されたＢＴ．７０９ビデオフレーム４０２を、例えば、ベースレイヤ・エンコーダ３０４から解像度アップスケーリング機能３７０経由で受信して、色空間予測４０６の生成に関する予測タイプおよびタイミングを選択するための色予測制御デバイス４１０を含むことができる。いくつかの実施形態において、色予測制御デバイス４１０は、再構成されたＢＴ．７０９ビデオフレーム４０２を独立チャネル予測機能４２０、アフィン予測機能４３０、またはクロスカラー予測機能４４０のうちの少なくとも１つへ渡すことができる。予測機能４２０、４３０および４４０のそれぞれは、ＵＨＤＴＶ画像フレーム（またはその部分）の色空間予測を再構成されたＢＴ．７０９ビデオフレーム４０２から、例えば、ＢＴ．７０９画像フレームの色空間をＵＨＤＴＶ画像フレームの色空間へスケーリングすることによって生成できる。
【手続補正４】
【補正対象書類名】明細書
【補正対象項目名】００６２
【補正方法】変更
【補正の内容】
【００６２】
図６は、図５Ａに示される色空間予測器６００のブロック図の例である。図６を参照すると、色空間予測器６００は、復号されたＢＴ．７０９ビデオストリーム１２４を、例えば、ベースレイヤ・デコーダ５０４から解像度アップスケーリング機能５７０経由で受信して、色空間予測６０６の生成に関する予測タイプおよびタイミングを選択するための色予測制御デバイス６１０を含むことができる。色空間予測器６００は、ビデオエンコーダ３００から受信された色予測パラメータ１１４に、少なくとも部分的に、基づいて生成すべき色空間予測のタイプを選択できる。色予測パラメータ１１４は、色空間予測の特定のタイプを明示的に識別でき、あるいは色空間予測の特定のタイプを、例えば、色予測パラメータ１１４の量および／または配置によって暗黙的に識別できる。いくつかの実施形態において、色予測制御デバイス６１０は、復号されたＢＴ．７０９ビデオストリーム１２４および色予測パラメータ１１４を独立チャネル予測機能６２０、アフィン予測機能６３０、またはクロスカラー予測機能６４０のうちの少なくとも１つへ渡すことができる。予測機能６２０、６３０および６４０のそれぞれは、ＵＨＤＴＶ画像フレーム（またはその部分）の色空間予測を復号されたＢＴ．７０９ビデオストリーム１２４から、例えば、ＢＴ．７０９画像フレームの色空間をＵＨＤＴＶ画像フレームの色空間へ色空間パラメータ１１４に基づいてスケーリングすることによって生成できる。
【手続補正５】
【補正対象書類名】明細書
【補正対象項目名】００６３
【補正方法】変更
【補正の内容】
【００６３】
独立チャネル予測機能６２０は、復号されたＢＴ．７０９ビデオストリーム１２４のＹＵＶ成分を別々に、例えば、数式１〜６に先に示されたようにスケーリングできる。アフィン予測機能６３０は、復号されたＢＴ．７０９ビデオストリーム１２２のＹＵＶ成分を行列乗算を用いて、例えば、数式７に先に示されたようにスケーリングできる。クロスカラー予測機能６４０は、復号されたＢＴ．７０９ビデオストリーム１２２のＹＵＶ成分を修正された行列乗算を用いてスケーリングでき、この乗算行列は、ＵＨＤＴＶ画像フレームのＵおよびＶ成分を、例えば、数式８または９に先に示されたように生成するとき、復号されたＢＴ．７０９ビデオストリーム１２４からのＹ成分の混合を除外できる。
【手続補正６】
【補正対象書類名】明細書
【補正対象項目名】００６４
【補正方法】変更
【補正の内容】
【００６４】
いくつかの実施形態において、色空間予測器６００は、独立チャネル予測機能６２０、アフィン予測機能６３０、およびクロスカラー予測機能６４０からの出力を選択するための選択デバイス６５０を含むことができる。色予測制御デバイス６１０は、色空間予測６０６の生成のタイミングと色空間予測６０６を生成するために行われる演算のタイプとを、例えば、選択デバイス６５０のタイミングおよび出力を制御することによって制御できる。いくつかの実施形態において、色予測制御デバイス６１０は、復号されたＢＴ．７０９ビデオストリーム１２４を独立チャネル予測機能６２０、アフィン予測機能６３０、およびクロスカラー予測機能６４０のうちの少なくとも１つへ選択的に供給することによって、色空間予測６０６の生成のタイミングと色空間予測６０６を生成するために行われる演算のタイプとを制御できる。
【手続補正７】
【補正対象書類名】明細書
【補正対象項目名】００９９
【補正方法】変更
【補正の内容】
【００９９】
ステップ１３７０の参照ピクチャに対するビット深度スケーリング処理は、入力としてのリサンプリングされたレイヤ間参照ピクチャｒｓＰｉｃに作用して、リサンプリングされビット深度スケーリングされたレイヤ間参照ピクチャｒｓｂＰｉｃを出力として供給する。リサンプリングされビット深度スケーリングされたレイヤ間参照ピクチャｒｓｂＰｉｃの利点は、それが、異なるビット深度のピクチャからのレイヤ間参照の形成に適合することである。ステップ１３７０は、現ピクチャＣｕｒｒＰｉｃの輝度アレイのサンプルのビット深度および色差アレイのサンプルのビット深度を指定する、変数ｎＢｄｂＹおよびｎＢｄｂＣと、リサンプリングされた参照レイヤ・ピクチャｒｓＰｉｃの輝度アレイのサンプルのビット深度および色差アレイのサンプルのビット深度を指定する、変数ｎＢｄＹおよびｎＢｄＣとを用いる。ステップ１３７０は、リサンプリングされビット深度スケーリングされたレイヤ間参照ピクチャｒｓｂＰｉｃを、ビット深度スケーリングにより次のように導出する。
【数４】
2016519854.tif 000001
【手続補正８】
【補正対象書類名】図面
【補正対象項目名】図６
【補正方法】変更
【補正の内容】
【図６】
2016519854.tif 000002